(57)【要約】      （修正有）【課題】訪問マッサージの施術者が患者に対して行った施術項目が一目で分かる訪問マッサージ施術記録紙及び訪問マッサージ施術記録ノートを提供する。【解決手段】患者へ施術を行う施術項目が記された施術項目欄と該施術項目欄の各施術項目に対して施術者が実施した施術項目をチェックするチェック欄とからなる施術項目実施欄Ｋ，Ｌ，Ｍ，Ｎと、施術者が施術を実施した日時を記入する日時記入欄Ｃ，Ｄと、を備え、一枚のシートの同一面に前記施術項目実施欄と日時記入欄とが印刷により併記されるとともに、施術項目実施欄において施術項目欄とチェック欄とが印刷により併記され、施術項目実施欄の横に日時記入欄が記され、施術項目欄の横にチェック欄が記されていることを特徴とする。【選択図】図１
0003187962.tif 000002
【実用新案登録請求の範囲】
【請求項１】
患者へ施術を行う施術項目が記された施術項目欄と該施術項目欄の各施術項目に対して施術者が実施した施術項目をチェックするチェック欄とからなる施術項目実施欄と、施術者が施術を実施した日時を記入する日時記入欄と、を備えていることを特徴とする訪問マッサージ施術記録紙。
【請求項２】
前記日時記入欄及び前記施術項目実施欄は、一日単位で設けられていることを特徴とする請求項１に記載の訪問マッサージ施術記録紙。
【請求項３】
請求項１または２に記載の訪問マッサージ施術記録紙の複数を綴って構成されたことを特徴とする訪問マッサージ施術記録ノート。
【考案の詳細な説明】
【技術分野】
【０００１】
本考案は、訪問マッサージの施術者が患者に対して実施した施術の実施状況を記録する手間を低減することができる訪問マッサージ施術記録紙及び訪問マッサージ施術記録ノートに関する。
【背景技術】
【０００２】
従来、この種の訪問施術用の施術記録ノートには、施術対象の患者の身体状態や患者に行った施術の項目、その項目の詳細内容等が、施術者によって通常文章によって記載される。
【先行技術文献】
【特許文献】
【０００３】
【特許文献１】特開２００３−３１０５７６号公報
【考案の概要】
【考案が解決しようとする課題】
【０００４】
しかしながら、従来の訪問マッサージ施術ノートに記録する記載方法（記載形式）が個人個人によってまちまちであるために、引継等で次の施術者に訪問マッサージ施術ノート（カルテ等）を渡し、訪問マッサージ施術ノートに記載した内容を説明する場合にかなりの時間を要していた。また、この訪問マッサージ施術ノートを第三者が目にしたとき、何月何日に誰がどのような施術を患者に行ったのかが一目で理解しにくいという問題があった。
【０００５】
本考案は、施術者が患者に対して行った訪問マッサージの施術項目が一目で分かる訪問マッサージ施術記録紙及び訪問マッサージ施術記録ノートを提供することを課題とする。
【課題を解決するための手段】
【０００６】
請求項１の訪問マッサージ施術記録紙は、患者へ施術を行う施術項目が記された施術項目欄と該施術項目欄の各施術項目に対して施術者が実施した施術項目をチェックするチェック欄とからなる施術項目実施欄と、施術者が施術を実施した日時を記入する日時記入欄と、を備えていることを特徴とする。
【０００７】
請求項２の訪問マッサージ施術記録紙は、請求項１に記載の訪問マッサージ施術記録紙であって、前記日時記入欄及び前記施術項目実施欄は、一日単位で設けられていることを特徴とする。
【０００８】
請求項３の訪問マッサージ施術記録ノートは、請求項１または２に記載の訪問マッサージ施術記録紙の複数を綴って構成されたことを特徴とする。
【０００９】
施術項目とは特定の患者に行う施術項目のみを記載した欄でもよく、不特定の患者を想定して数種類の介護項目を予め記載した欄を設けておいてもよい。施術項目実施欄へのチェックは、例えば「レ点」でしてもよいし施術者のサイン、または施術者の印を捺印してもよい。このように日時記入欄と施術項目実施欄とを設けることにより、施術者は患者に対して実施した施術項目を施術項目実施欄のチェック欄にチェックしていくだけでよいので、従来、施術ノート等に文章で記録していた手間を削減できる。
【００１０】
上述した訪問マッサージ施術記録紙はそのまま１枚の紙の状態で使用してもよいが、この訪問マッサージ施術記録紙を例えば一ヶ月分まとめて（束ねて）請求項３のように訪問マッサージ施術記録ノートとして構成してもよい。訪問マッサージ施術記録紙のまとめ方は、訪問マッサージ施術記録紙の左端や上端を束ねてもよいし、訪問マッサージ施術記録紙の中央を綴じて束ねてもよく、その形態は自由である。訪問マッサージ施術記録紙を一ヶ月分まとめて訪問マッサージ施術記録紙ノートとすることにより、あん摩マッサージ指圧師法に対応したカルテとすることができる。
【考案の効果】
【００１１】
本考案によれば、施術者は患者に対して行った施術項目を施術項目実施欄にチェックするだけでよいので、訪問マッサージの施術記録の記入の手間を省くことができる。
【００１２】
また、本考案によれば、第三者に対して患者が何月何日の何時にどんな実施項目を受けたのかが一目で分かるので、不正請求の防止を図ることができる。
【図面の簡単な説明】
【００１３】
【図１】本考案の実施形態の訪問マッサージ施術記録紙の一例を示す平面図である。
【図２】本考案の実施形態の訪問マッサージ施術記録ノートの一例を示す斜静図である。
【考案を実施するための形態】
【００１４】
次に、本考案の訪問マッサージ施術記録紙及び訪問マッサージ施術記録ノートの実施形態を図面を参照して説明する。図１は本考案の実施形態の訪問マッサージ施術記録紙１の一例を示す平面図である。
【００１５】
この実施形態の訪問マッサージ施術記録紙１はＡ５サイズの２枚複写式であり、表シート１１と複写シート１２とで構成されている。表シート１１と複写シート１２は片側端部の細い糊代１３にて貼り付けられている。表シート１１には各記入欄Ａ〜Ｏが印刷により記されている。Ａは患者名記入欄、Ｂは施術担当者記入欄、Ｃは月日記入欄、Ｄは時間記入欄、Ｅは血圧測定記入欄、Ｆは脈拍測定記入欄、Ｇは視診結果記入欄、Ｈは問診結果記入欄、Ｉは患者・家族からの相談内容記入欄、Ｊは特記事項記入欄、Ｋは手技種類記入欄、Ｌは施術部位記入欄、Ｍは起居動作記入欄、ＮはＡＤＬ記入欄、Ｏはその他施術内容等の記入欄である。なお、表シート１１には「利用者控」の表示が印刷されている。
【００１６】
手技種類記入欄Ｋには、「マッサージ」、「変形徒手矯正」、「ストレッチ」、「温罨法」の手技の種類の項目が印刷により記され、施術部位記入欄Ｌには、「体幹」、「右上肢」、「左上肢」、「右下肢」、「左下肢」の各部位を示す項目が印刷により記されている。また、起居動作記入欄Ｍには、「寝返り」、「起き上がり」、「座位保持」、「立ち上がり」、「立位保持」、「歩行」の各動作を示す項目が印刷により記され、ＡＤＬ記入欄Ｎには「移乗」の練習の項目が印刷により記されている。各項目には四角のチェックボックスが印刷により記されている。
【００１７】
複写シート１２には、施術担当者記入欄Ｂの一部以外は図に現れていないが、この複写シート１２にも、「利用者控」の表示以外は、表シート１１の記入欄Ａ〜Ｏと同じデザインの記入欄が印刷されている。
【００１８】
この実施形態では、「マッサージ」、「変形徒手矯正」、「ストレッチ」、「温罨法」、「体幹」、「右上肢」、「左上肢」、「右下肢」、「左下肢」、「寝返り」、「起き上がり」、「座位保持」、「立ち上がり」、「立位保持」、「歩行」、「移乗」が、請求項の「施術項目」の一例であり、チェックボックスが請求項の「チェック欄」の一例である。また、手技種類記入欄Ｋ、施術部位記入欄Ｌ、起居動作記入欄Ｍ、ＡＤＬ記入欄Ｎが、請求項の「施術項目実施欄」の一例であり、月日記入欄Ｃ及び時間記入欄Ｄが請求項の「日時記入欄」の一例である。月日記入欄Ｃ及び時間記入欄Ｄは一枚（一セット）の訪問マッサージ施術記録紙１に一箇所づつ設けられており、日時記入欄及び前記施術項目実施欄は、一日単位で設けられていることになる。
【００１９】
以上の構成により、患者名記入欄Ａには患者名を記入する。これにより、表シート１１にも患者名を記載できるので、患者個人用にも別々の患者用にも使用することができる。また、施術担当者記入欄Ｂには施術者の名前を記入し、日時記入欄Ｃ及び時間記入欄Ｄには施術した日時を記入する。これにより誰がいつ施術したのかを把握することができる。、血圧測定記入欄Ｅ及び脈拍測定記入欄Ｆには、バイタルチェックで測定した内容を記載する。視診結果記入欄Ｇ及び問診結果記入欄Ｈには、視診、問診にての患者の状態を記載する。相談内容記入欄Ｉには、普段居ない家族や患者からの相談内容等を記載する。
特記事項記入欄Ｊには、普段一般的に行われない内容を記載する。例えば呼吸器系の障害者などに血中酸素濃度を計測する場合があり、その計測値を記載する。
【００２０】
手技種類記入欄Ｋには手技の種類のチェックを入れるが、訪問マッサージで行われるは、マッサージ、ストレッチ、変形徒手矯正、温罨法がほとんどのため、この項目をチェックするだけの簡便な記入方法となっている。施術部位記入欄Ｌには、保険で定められた施術部位（同意書に記載されている部位）にチェックを入れる。また、起居動作記入欄Ｍには、起居動作の訓練内容にチェックを入れる。ＡＤＬ記入欄Ｎには、ＡＤＬ訓練として移乗練習を行ったか否かのチェックを入れる。その他施術内容等の記入欄Ｏには、上記のＡＤＬにない着替え動作などを記入する。
【００２１】
従来は、訪問マッサージの施術の記録方法として、患者さんに専用の大学ノートを用意してもらい、その日に行った内容等を大学ノートに記録して施術の記録を患者宅に残す場合と、施術院の方で用意した施術記録を患者宅に置いておく場合がある。いずれも、施術者は施術院に戻ってから、改めてカルテに再度記載する必要がある。しかし、実施形態の訪問マッサージ施術記録紙１は複写式になっているので、表シート１１に記入した内容は複写シート１２に複写されるので、表シート１１を患者宅に残し、複写シート１２を施術院に持ち帰ればよく、記載の二度手間を無くすことができる。また、施術のその場合で記載することにより、記憶等に頼る必要がなくなる。なお、実施形態の訪問マッサージ施術記録紙１は表シート１１と複写シート１２とが細い糊代１３にて貼り付けられているだけであり、表シート１１と複写シート１２とを簡単に剥がすことができる。
【００２２】
また、記載する内容も毎回がほとんど一緒のため、長期になると内容の変化がないことに悪い印象を与えることもあるが、フォーマットが決まっているため、そのような不都合も防ぐことができる。
【００２３】
また、記録紙を目のつきやすい患者のベッドサイド等に置くことで、他の在宅職（介護ヘルパー、訪問看護）等と連携を持つことができる。
【００２４】
近年、訪問マッサージの業者が増加しているが、訪問していないのに請求するような不正行為を防止することもできる。
【００２５】
また、施術者の中にはパーソナルコンピュータ等に不慣れな者もいるが、簡便な記録紙１により、広い年代の施術者にわたって使用することができる。
【００２６】
図２は本考案の実施形態の訪問マッサージ施術記録ノート１０の一例を示す斜静図である。この訪問マッサージ施術記録ノート１０は、表表紙２と裏表紙３とで複数（例えば５０セット）の訪問マッサージ施術記録１，１，１，…を挟んで、製本テープ４により綴ったものである。各訪問マッサージ施術記録１は、前記実施形態の複写シート１２の綴り部近傍にミシン目１２ａが形成されている以外は、前記実施形態のものと同様である。
【００２７】
この訪問マッサージ施術記録ノート１０は、一ヶ月分の訪問マッサージ施術記録１をまとめて綴じたものであり、この訪問マッサージ施術記録紙ノート１０を患者宅に残しておく、施術及び記録後は、複写シート１２をミシン目１２ａで切り取って、施術者が複写シート１２を施術院に持ち帰ればよい。
【００２８】
以上の実施形態では２枚複写式の例を説明したが、表シート１１単体でも本考案の訪問マッサージ用施術記録紙とすることができる。また、この単体の表シート１１（訪問マッサージ用施術記録紙）の複数枚を綴って本考案の訪問マッサージ用施術記録ノートとすることもできる。
【符号の説明】
【００２９】
１    訪問マッサージ施術記録紙
１１  表シート
１２  複写シート
Ａ    患者名記入欄
Ｂ    施術担当者記入欄
Ｃ    月日記入欄（日時記入欄）
Ｄ    時間記入欄（日時記入欄）
Ｋ    手技種類記入欄（施術項目実施欄）
Ｌ    施術部位記入欄（施術項目実施欄）
Ｍ    起居動作記入欄（施術項目実施欄）
Ｎ    ＡＤＬ記入欄（施術項目実施欄）
１０  訪問マッサージ施術記録ノート
【図１】
0003187962.tif 000003
【図２】
0003187962.tif 000004
【手続補正書】
【提出日】平成25年10月18日(2013.10.18)
【手続補正１】
【補正対象書類名】明細書
【補正対象項目名】０００６
【補正方法】変更
【補正の内容】
【０００６】
請求項１の訪問マッサージ施術記録紙は、患者へ施術を行う施術項目が記された施術項目欄と該施術項目欄の各施術項目に対して施術者が実施した施術項目をチェックするチェック欄とからなる施術項目実施欄と、施術者が施術を実施した日時を記入する日時記入欄と、を備え、一枚のシートの同一面に前記施術項目実施欄と前記日時記入欄とが印刷により併記されるとともに、前記施術項目実施欄において前記施術項目欄と前記チェック欄とが印刷により併記され、前記施術項目実施欄の横に前記日時記入欄が記され、前記施術項目欄の横に前記チェック欄が記されていることを特徴とすることを特徴とする。
【手続補正２】
【補正対象書類名】実用新案登録請求の範囲
【補正対象項目名】全文
【補正方法】変更
【補正の内容】
【実用新案登録請求の範囲】
【請求項１】
患者へ施術を行う施術項目が記された施術項目欄と該施術項目欄の各施術項目に対して施術者が実施した施術項目をチェックするチェック欄とからなる施術項目実施欄と、施術者が施術を実施した日時を記入する日時記入欄と、を備え、
一枚のシートの同一面に前記施術項目実施欄と前記日時記入欄とが印刷により併記されるとともに、前記施術項目実施欄において前記施術項目欄と前記チェック欄とが印刷により併記され、前記施術項目実施欄の横に前記日時記入欄が記され、前記施術項目欄の横に前記チェック欄が記されていることを特徴とする訪問マッサージ施術記録紙。
【請求項２】
前記日時記入欄及び前記施術項目実施欄は、一日単位で設けられていることを特徴とする請求項１に記載の訪問マッサージ施術記録紙。
【請求項３】
請求項１または２に記載の訪問マッサージ施術記録紙の複数を綴って構成されたことを特徴とする訪問マッサージ施術記録ノート。